(57)【要約】複数のコンピュータノード（１２）が論理多次元アレイ（２２）内に配置され、通信ケーブル（１４）によりリンクされる通信ネットワークを説明する。通信ケーブルは、各ノードをアレイ内のその他全てのノードに接続して、アレイ内の各コンピュータノード対間に直接的な物理接続を形成するコンジット１６を備える。通信ネットワーク内のノード間を相互接続する方法は、アレイ内のコンピュータノードを上述のように配置および接続することを含み、これによって、各ノードはコンジットをアレイ内の列および行に受動的にリダイレクトする。【選択図】図４
2011520382.tif 000002
【特許請求の範囲】
【請求項１】
複数の行および列を備える論理アレイ（２２）内に配置される複数のコンピュータノード（１２）と、
各行および各列内の隣接するノードの各対をリンクし、各々が
（イ）上流端および下流端を有する複数のコンジット（１６）と、
（ロ）前記上流端で前記コンピュータノードを前記行又は列内のその他のコンピュータノードに各々接続するコンジットと、前記行又は列内のその他のコンピュータノードを相互に接続するパススルーコンジットとを備えるコンジット群（３６）と、
（ハ）任意の行内の前記コンピュータノードを任意の列内の任意のコンピュータノードに接続するコンジットをそれぞれ備える複数の垂直なコンジット群（３８−４２）と
を備える複数の通信ケーブル（１４）と
を備え、
各コンピュータノードは垂直なコンジット群内のコンジットを対象列内の適切なコンピュータノードに受動的にリダイレクトして、前記アレイ内の各コンピュータノード対間に直接的物理接続を形成する、次元の階層を有する通信ネットワーク。
【請求項２】
各コンピュータノードは複数のコネクタ（３４）を備え、前記複数のコネクタ（３４）はそれぞれ、
上流端を前記コンピュータノードに接続する複数の出力ポート（１８）と、
下流端を前記コンピュータノードに接続する複数の入力ポート（２０）と、
前記コンピュータノードを介したパススルーコンジットを形成する複数のパススルーポートと
を含む、請求項１に記載の通信ネットワーク。
【請求項３】
各コンピュータノードは受動リダイレクト構造を備える、請求項１に記載の通信ネットワーク。
【請求項４】
前記アレイの全ての次元は同一サイズを有する、請求項１に記載の通信ネットワーク。
【請求項５】
Ｎは前記アレイ内のコンピュータノード数であり、ｄは前記アレイ内の次元数である場合、各通信ケーブルは１／２＊Ｎ＊（Ｎ1/d−１）個以下のコンジットを備え、コンピュータノード毎のコンジットは１／２＊ｄ＊Ｎ＊（Ｎ1/d−１）個以下である、請求項３に記載の通信ネットワーク。
【請求項６】
前記コンジットは光ファイバであり、前記入力ポートは光検出器を含み、前記出力ポートは光源を含み、前記パススルーポートは光ビアを含む、請求項２に記載の通信ネットワーク。
【請求項７】
前記コンジットは電線であり、前記入力ポートおよび前記出力ポートは電気接続を含む、請求項２に記載の通信ネットワーク。
【請求項８】
前記コンジットはツイストペアケーブルである、請求項２に記載の通信ネットワーク。
【請求項９】
前記コンジットは同軸ケーブルであり、前記入力ポートおよび出力ポートはモジュラプラグピンコネクタである、請求項８に記載の通信ネットワーク。
【請求項１０】
前記アレイは三次元を有し、通信ケーブル毎のコンジットはＮ＊（Ｎ1/3−１）／２個以下であり、ノード毎のコンジットは３＊Ｎ＊（Ｎ1/3−１）／２個以下である、請求項１に記載の通信ネットワーク。
【請求項１１】
複数の行および列を備える論理アレイ（２２）内に配置され、次元の階層を有する複数のコンピュータノード（１２）と、
各行および各列内の隣接するノードの各対をリンクし、各々が
（イ）上流端および下流端を有する複数の光ファイバ（１６）と、
（ロ）前記上流端で前記コンピュータノードを前記行又は列内のその他のコンピュータノードに各々接続する光ファイバと、前記行又は列内のその他のコンピュータノードを相互に接続するパススルー光ファイバとを備えるファイバ群（３６）と、
（ハ）任意の行内の前記コンピュータノードを任意の列内の任意のコンピュータノードに接続する光ファイバをそれぞれ備える複数の垂直なファイバ群（３８−４２）と
を備える複数の光ケーブル（１４）と
を備え、各コンピュータノードは垂直なファイバ群内の光ファイバを対象列内の適切なコンピュータノードに受動的にリダイレクトして、前記アレイ内の各コンピュータノード対間に直接的物理接続を形成する、光通信ネットワーク。
【請求項１２】
各コンピュータノードは、前記光ファイバ内の曲折、反射鏡、導波路、およびレンズからなる群から選択される少なくとも１つの光学的リダイレクト構造を備える、請求項１１に記載の光通信ネットワーク。
【請求項１３】
複数の行および列を備え、次元の階層を有する論理アレイ（２２）内に複数のコンピュータノード（１２）を配置し、
上流端および下流端を有し、かつ、
（イ）自己の上流端で前記コンピュータノードを前記行又は列内のその他のコンピュータノードに各々接続するコンジットと、前記行又は列内のその他のコンピュータノードを相互に接続するパススルーコンジットとを備えるコンジット群（３６）と、
（ロ）任意の行内の前記コンピュータノードを任意の列内の任意のコンピュータノードに接続するコンジットをそれぞれ備える複数の垂直なコンジット群（３８−４２）と
を含む複数のコンジット群を備える通信ケーブル（１４）を用いて、隣接するコンピュータノードの各対をリンクし、
垂直なコンジット群内のコンジットを対象列内の適切なコンピュータノードに受動的にリダイレクトする、通信ネットワーク内のノード間を相互接続する方法。
【請求項１４】
前記アレイ内のデータを行および列について交互に段階的に移動する工程を更に備える、請求項１３に記載の方法。
【請求項１５】
前記データは、前記データが前記対象列に到達するまで行に沿って下流へ送信され、前記データはその後任意で前記対象列に沿って下流へ送信される、請求項１３に記載の方法。
【発明の詳細な説明】
【背景技術】
【０００１】
サーバ、ローカルネットワーク、又は地域ネットワークおよびグローバルネットワークを含むコンピュータシステムにおいては、多くの場合、複数のコンピュータユニットを相互接続する必要がある。例えば、サーバ等の電子システムには、ブレードサーバ又はラックサーバ内に配置される複数のプリント基板を含むものがある。基板には通常、基板をバックプレーン上の対応するコネクタに接続するためのコネクタが設けられる。これにより、基板がバックプレーンにより電気的に相互接続され、基板間での情報交換が可能となる。
【０００２】
しかしながら、この方法には限界がある。サーバ、ブレード、又はカード間で求められるデータ帯域幅が増大することにより、これらに適合する性能を持つバックプレーンはより高価になるだけでなく、より複雑になり、従って強度および信頼性が低くなる。そのような複雑なプラットフォームには他に、マルチコアコンピュータ、コンピュータクラスタ、およびスーパーコンピュータがある。これらの応用例は全て、高速演算をサポートできる入出力アーキテクチャを実現するコンピュータユニット（プロセッサコア、プロセッサ、又はプロセッサプラットフォーム）間での、高速かつ高帯域幅の相互接続を必要とする。このような構成は多数のコンピュータノードを必要とする場合がある。
【０００３】
このような大きいネットワーク間でデータを誘導するためには、膨大な時間およびリソースを要するルーティング工程が必要となる場合がある。例えば、パケット交換において待ち行列に関する遅延が発生する可能性がある。一方、光インターコネクトは、一般的に電気インターコネクトに比べて電磁干渉の発生および磁化率が低く、非常に高い帯域幅に対する可能性を備えている。しかしながら、ユニット間の光通信においては一般的に電気信号から光信号へのデータ変換、およびその逆が必要となる。高いレベルの相互接続を保持しつつルーティングおよびデータ変換に対する制限を最小限に抑えるためには、ネットワーク内の出来るだけ多くのユニットを出来るだけ多くのその他のユニットに直接接続することが望ましい。しかしながら、これを大きいネットワークで実行するには多数の光ケーブルが必要となり、コストが増大し、システムの保持が難しくなる可能性がある。
【図面の簡単な説明】
【０００４】
【図１】図１は、全ノード間を対接続するノードの直線的なチェーンネットワークを示す。
【図２】図２は、一実施形態によるコンピュータノードの二次元アレイを示す。
【図３】図３は、一実施形態によるノード１６個の二次元ネットワークにおける出力ポートおよび入力ポートの構成を示す。
【図４】図４は、（０，０）で指定され、例えば図２に示すようなアレイで用いられるノードにおける複数のコネクタ、入力、および出力を示す。
【図５】図５は、本実施形態による、ユニット当たりのコンジット数およびネットワーク内の階層数の関係を示す関数グラフである。
【発明を実施するための形態】
【０００５】
本発明の実施の形態を説明するにあたり、以下の用語を使用する。
【０００６】
文脈で明確に指示していない限り、単数の指示対象には複数の指示対象をも含む。従って、「部材表面」の参照は、１つ以上のそのような表面の参照を含む。
【０００７】
ここで使われているように、「約」という用語は、次元、寸法、定式、パラメータ、形状、その他の量および特性が厳密ではなく、且つ厳密である必要もなく、許容値、変換係数、端数切捨て、測定誤差等および当業者には公知のその他の要素を反映して、任意で近似および／又は大小してもよいことを意味する。
【０００８】
以下に、図示した例示としての実施の形態を参照し、特定の用語を用いて説明する。しかしながら、以下の説明は本発明の範囲を制限することを意図するものではないとする。
【０００９】
望ましくは、複数のコンピュータノードを接続して各ノード対間に直接的な物理接続が形成されるようにするのがよい。ここで使われているように、「ノード」、「コンピュータノード」、又は単純に「ユニット」という用語は全て、例えばブレードサーバ内のブレード等の回路基板およびサーバおよび／又はクライアント等のコンピュータを含むその他のユニットに接続および連動可能な処理装置をさす。そのような相互接続を実現する方法に、複数の通信コンジットを備える通信ケーブルを用いて、全ユニットを直線的な構造でリンクするものがある。光インターコネクトを用いたシステムの場合、コンジットは一束化ケーブル又はリボンケーブル内の光ファイバ又はその他の光導波路構造であってもよい。より広い意味では、「コンジット」という用語はデータ信号がその信号に適合するよう構成される、システム内の、例えば光ファイバ、電線、ツイストペアケーブル、同軸ケーブル、および機械的チャネル等の２点間を伝搬可能にするような構造全てを指してもよい。更に、より広い意味では、「パス」という用語はコンジットだけでなく、２点間で信号を送信可能な自由空間光通信システム等のその他の経路を含む。以下の説明においては詳細にはコンジットによる接続を参照しているが、本発明にその他のパスを用いた変更を加えてもよいこととする。
【００１０】
図１に図示の構造において、Ｎ個のノード１２を有するデイジーチェーンネットワーク１０は、ノードを論理リングに接続するＮ個の通信ケーブル１４を用いてもよく、各ケーブルは各ノードをリング内のその他のノードの各々に接続するコンジット１６を含む。このリングにおいて、接続（したがって情報）は左から右へ、各ノードの出力ポート１８から下流の入力ポート２０へ伝達される。全ノード間の完全な対接続を実現するために、各ノードはＮ−１個の接続の始点とならなければならない。この構成においては、上流ノードを下流ノードに接続する各ケーブルは、これら２個のノードを接続する１個のコンジットと、上流ノードをその他のノードに接続するＮ−２個のファイバと、リング内のその他のノードを相互に接続する（Ｎ−２）＊（Ｎ−１）／２個のパススルーファイバとを備える。各通信ケーブルは合計で少なくともＮ＊（Ｎ−１）／２個のコンジットを備える。
【００１１】
このデイジーチェーン構成は、パケット交換又は（光ファイバ通信の場合）信号の送信元および送信先以外の点における電気‐光信号変換に頼らずに、全ノード間の直接的な対接続を実現する。しかしながら、ケーブル毎のコンジット数はノード数が増加するにつれて二次的に増加する。例えば、Ｎ＝１０００個のネットワークは各ケーブル内に最大５００，０００個ものコンジットを必要とする。コンジットとして光ファイバを用いたとしても、このように多数のファイバを備えるケーブルを製造および保持するのは難しいであろう。
【００１２】
本システムおよび方法によれば、コンピュータを階層ネットワーク内に構成することにより、併せてファイバ数を増やすことなく大きいネットワークを実現できる。本システムによるひとつの結果として、ネットワークサイズ増大の原因となるケーブル毎のコンジット数の増加を抑制できる。同時に、パケット交換又は中間での光‐電気信号変換に頼ることなく、Ｎ個のコンピュータ／ユニット間を直接接続できる。従って、パケット交換および更なる変換工程は、本システムを用いたネットワークを構築する際の任意のツールとなる。従って、これら双方の方法を省略してリソースおよびメンテナンスの必要を軽減することができ、あるいは、本発明によるネットワークにどちらかの方法を用いて、更に順応性および帯域幅容量を向上させてもよい。
【００１３】
本システムによれば、直線的論理チェーンの代わりに、ノードを次元の階層を有する多次元の論理アレイ内に配置する。図２は、本発明の一実施形態によるコンピュータノード１２の二次元アレイ２２を示す。記述の便宜上、各ノードはｘ、ｙ座標系２３を用いてラベル付けしてもよく、対象ノード２４は（０，０）で指定する。しかしながら、システムの動作にはそのような指定システム又はその他のシステムは必要ではないことに注意されたい。各ノードは、例えば（１，１）ネイバ（隣接ノード）、（−１，０）ネイバ等、各ノードを接続する格子シフトベクトルによりその他のノードを識別する。両方向に沿って周期的境界条件が設定される。例えば、図２に示すアレイにおいては、（１，２）で指定されるノードの最上位ネイバは（１，−１）ノードである。なお、本システムが機能するために周期的境界条件は必須ではないものとする。周期的境界条件下では、全ノードはネットワーク内の等価位置にあり、そのため略同一の接続アーキテクチャを有するノードを用いてもよい。周期的境界条件が無ければ全ノード位置は等価ではなく、従って通信方法の変更が必要となる。なお、ここでアレイは「行」および「列」等の次元要素として一般的な慣例を用いて説明するが、これは記述の便宜上からであって、本発明を二次元の実施の形態に制限するものではない。
【００１４】
全ノード対間に直接的な対接続を実現するためには、各ノードは（Ｎ−１）個の出力を送信し、同様に（Ｎ−１）個の入力を受信するよう構成されなければならない。各入力又は出力は一意的に特定のネイバに対応付けられる。従って、データ信号の送信元はそのデータ信号がどの入力ポートに到達するかにより決定される。同様に、単に対応する出力ポートを起動するだけで、データを特定のノードに送信可能である。任意のノードは、入力および出力ポート（したがって入力および出力ポートの送信元および送信先のノード）を特定する方法を有する。しかしながら、このような方法はコネクタにおけるポートが収容される位置程度単純なものであってもよい。
【００１５】
図３は、一実施形態による、あるノード内の出力ポート１８および入力ポート２０の構成を示す図である。この構成において、ポートは群に構成される。例えば、同一行内のその他のノードへの接続を行う群２６、同一列内のその他のノードへの接続を行う群２８、現在のノードからそれぞれ１列、２列、および３列離れたノードへの接続を行う群３０〜３２である。
【００１６】
信号をアレイを介して段階的に送信することにより、ケーブル内のファイバ数又はコンジット数を抑えることができる。例えば、一実施形態においては、各データ信号はまず、送信先ノードが配置されている列に到達するまで、その信号を送信するノードの行に沿って送信されるという従来技術を用いている。その後、データ信号は必要に応じて送信先ノードに到達するまでその列に沿って送信される。しかしながら、他の実施の形態においては従来技術の逆（まずは列から、その後に行）も等しく十分有効である。これらの従来技術はどちらも、単にリダイレクト工程を追加することにより、より多くの次元数を有するアレイにも適用させることができる。なお、ここでもデータ信号を送信先までルーティングするためにパケット交換は必要ない。その代わりに、格子の適切な列に到達する（第１の工程）と、信号はその列に沿って受動的にリダイレクトされ、最終的な送信先に送信される（第２の工程）。信号はそれぞれアレイの異なる次元に沿った２個の以上の工程により送信されるため、このようなユニットの構成はアレイの構造自体がルーティング論理を提供する階層ネットワークとなる。
【００１７】
図４は、図２に示すＮ＝１６の二次元ネットワークのようなアレイ２２内に配置される対象ノードの一組の受動コネクタ３４、入力、出力、およびパススルー（通過）を示す。以下に説明するように、コネクタは流入コンジットおよび流出コンジットが誘導されるアレイの階層によりそれぞれ定義されるコンジット群に基づいて流入コンジットおよび流出コンジットを整理する。基本ビルディングブロックは、図１に示すような直線状ネットワークの基礎となる一次元のコンジット群である。図４に実線および円で示すこのコンジット群は、アレイの１個の行又は列に沿ってノードをリンクするコンジットを備える。この二次アレイの各行および列は√Ｎ＝４個のノードを備えるため、このコンジット群は√Ｎ＊（√Ｎ−１）／２＝６個のコンジットを備える。このコンジット群３６は図３に円で示す出力ポートおよび入力ポートによりノードにリンクされ、（０，０）ノードから、そのノードが配置される行又は列内のその他のノードの全てへの接続を提供する。この群において、その他のノード対を接続するコンジットは単純にこのノードを通過する。ポートはｄ個のコネクタに分割され、この場合、ｄはアレイ内の次元数である。図示の二次元アレイにおいては、ポートは、行に沿ってネイバ（１，０）、（２，０）、（３，０）と通信するコネクタおよび列に沿ってネイバ（０，１）、（０，２）、（０，３）と通信するコネクタの２個のコネクタに配置される。
【００１８】
行の外側のノードとの通信を実現するために、基本コンジット群はＮ(d-1)/d倍に複製される。例示した二次元アレイにおいて、基本コンジット群は二次元アレイにおいて√Ｎ倍に複製される。しかしながら、一次元コンジット群３６とは異なり、更なるコンジット群３８〜４２の各々は、（０，０）ノードの行ネイバの全てを（０，０）ノードが配置される行以外の行に接続する。
【００１９】
図４に示す実施形態において、（０，０）の行ネイバの各々からのコンジットを備え、ネイバ（０，１）を対象とするコンジット群３８は、ネイバ（０，１）にリダイレクトされるノードに流入する。同様に、同じく（０，０）の行ネイバから到着するコンジット群４０および４２の流入コンジットはそれぞれ（０，０）から２行および３行上のノード、すなわち（０，２）および（０，３）を対象とする。これは、本発明による段階的ルーティング論理を示す。任意のノードからの信号はまず、適切な列内の行ネイバに到達するまでその信号の行に沿って下流へ（本実施の形態においては左から右へ）送信される。その行ネイバが送信先ノードである場合、信号はそこで終わる（例えば一次元コンジット群３６）。送信先ノードがその列の他の行に位置する場合、行ネイバは信号をその行型の軌道からリダイレクトし、送信先ノードに到達させるために正確な行数を列に沿って上流に送信する。
【００２０】
再度強調するが、本発明におけるデータ信号のルーティングは、右側の列階層に信号をリダイレクトすることにより受動的に実行される。パケット交換は必要ない。リダイレクトは、データ信号又はデータ信号を搬送するコンジットの軌道又は方向を変更し、その信号又はコンジットを適切な方向に送信するよう構成される、受動リダイレクト構造により実行される。一構成において、リダイレクト構造はコンジット自体内の曲折又は角度である。その他の様態においては、反射鏡、レンズ、および導波路等、その他の構造が信号をリダイレクトしてもよい。
【００２１】
より詳細には、各ノードは、コンジット群３８の流出始点コンジットを、（０，０）ユニットが１番目の上位ネイバ行、すなわち（１，１）、（２，１）および（３，１）ユニットに信号を送信するために用いる、右ネイバへと流出する水平なファイバに送信する。図４に、対応する出力ポートを３個の黒の正方形で示す。受信側において、コンジット群３８のファイバにおける最下位のネイバから到達する流入接続が、一番目の左ネイバ列、すなわち（−１，−１）、（−１，−２）および（−１，−３）ユニットからの信号を（０，０）ユニットが受信するために用いられる。対応する入力ポートは、３個の白の正方形で図４に示す。同様に、コンジット群４０は、（０，０）ユニットが２番目の上位行、すなわち（１，２）、（２，２）および（３，２）ユニットに信号を送信し、左へ数えて２番目のネイバ列、すなわち（−２，−１）、（−２，−２）、および（−２，−３）ユニットからの信号を受信するために用いられる。これらの接続のための出力ポートおよび入力ポートを、図４に黒および白の三角形でそれぞれ示す。同様に、コンジット群４２は、（０，０）ユニットが３番目の上位行、すなわち（１，３）、（２，３）、および（３，３）ノードに信号を送信し、左へ数えて３番目のネイバ列、すなわち（−３，−１）、（−３，−２）、および（−３，−３）ノードから信号を受信するために用いられる。これらの接続のための出力ポートおよび入力ポートを、図４に黒および白の×印でそれぞれ示す。
【００２２】
再度強調するが、本発明におけるデータ信号のルーティングは、右側の列階層に信号をリダイレクトすることにより受動的に実行される。パケット交換は必要ない。リダイレクトは、データ信号又はデータ信号を搬送するコンジットの軌道又は方向を変更し、その信号又はコンジットを適切な方向に送信するよう構成される受動リダイレクト構造により実行される。特定の一様態において、リダイレクト構造はコンジット自体内の曲折又は角度である。その他の様態においては、反射鏡、レンズ、および導波路等、その他の構造が信号をリダイレクトしてもよい。
【００２３】
総論としては、各ノードは行に沿ったコネクタおよび列に沿ったコネクタを有する。各コネクタにおけるファイバ数は、（コンジット群の数）＊（各コンジット群のコンジット数）＝√Ｎ＊［√Ｎ＊（√Ｎ−１）］／２＝Ｎ＊（√Ｎ−１）／２である。ユニット毎のファイバ総数はその２倍＝Ｎ＊（√Ｎ−１）である。大文字のＮは、図１で説明した直線的な論理ネットワークにおけるＮ2／２までではなく、Ｎ3/2までの数をとる。例えば、２５６＝２8個のユニットのネットワークにおいて、直線的な一工程ネットワークはユニット毎に２16／２＝３２，７６８個のファイバを必要とするのに比べて、二次元の二工程ネットワークはユニット毎にこの８分の一である４０９６個のファイバしか必要としない。
【００２４】
説明した概念はより高い次元に一般化してもよい。しかしながら、アーキテクチャの複雑さにより、構成されるコネクタを単純に視覚化することができない。従って、上で検討した二工程階層ネットワークを例にとって言葉で説明する。三工程ネットワークにおいて、ノードは「三」次元の論理アレイ内に配置される。信号はまずアレイの１個の軸１に沿って送信され、その後第２の軸に沿って、そして最終的に第３の軸に沿って送信される。アレイの直線サイズはＮ1/3である。ここで基本コネクタはＮ1/3（Ｎ1/3−１）／２個のファイバを有する。基本コネクタはＮ2/3倍に複製されてもよく、その結果Ｎ2/3個のコンジット群が形成される。コンジット群は信号をノードの軸１に平行なＮ2/3個の行に送受信するために用いられる。各ノードは、各論理次元につき１個、すなわち３個の複合コネクタを備える必要がある。従って「ノード毎の」総コンジット数は３＊Ｎ2/3＊［Ｎ1/3（Ｎ1/3−１）／２］＝３＊Ｎ＊（Ｎ1/3−１）／２となる。ｄ工程を有するｄ次元の論理ネットワークに一般化すると、ノード毎の総コンジット数は以下となる。
［数１］
ＦN（ｄ）＝（１／２）＊ｄ＊Ｎ＊（Ｎ1/d−１）
【００２５】
この関数は、図５に示すようにｄに伴って単調に減少する。非常に大きいｄの極限値は以下となる。
［数２］
ｌｉｍ  d->∞ＦN（ｄ）＝（１／２）＊ｄ＊Ｎ＊［１＋ｌｎ（Ｎ）／ｄ−１］＝（１／２）＊Ｎ＊ｌｎ（Ｎ）
【００２６】
従って、一次元ネットワークを（１／２）＊Ｎ2スケーリングすることにより、無限次元ネットワークの（１／２）＊Ｎ＊ｌｎ（Ｎ）スケーリングが得られる。例えば、Ｎ＝１０００の場合、Ｆ1000（１）＝４９９，５００となるが、Ｆ1000（∞）＝３４５４となり、１４５分の一である。Ｎ＝１，０００，０００の場合、Ｆ106（１）≒５＊１０11となるが、Ｆ106（∞）≒６．９＊１０6となり、７２，４６４分の一である。
【００２７】
ある程度要約および復習すると、階層的な論理ネットワークはネットワーク内の全ノード間に直接的な対通信を提供する。ノードは回路基板、サーバ素子、サーバ、およびクライアントを含んでいてもよい。更に本システムは、光ファイバ送信によるネットワークおよび電線又はケーブルを用いた電気的送信によるネットワークの構築に用いてもよい。従来技術に比べて詳細に述べると、本発明における接続性は完全に受動的であり、パケット交換又は更なる光‐電気信号変換若しくは電気‐光信号変換は必要ない。更に、提案したアーキテクチャは一様であり、すなわち全ユニットおよびコネクタは同一および等価である。従って、このようなネットワークは容易に拡張可能である。
【００２８】
上記の実施例は本発明の原理を少なくとも１個の特定の応用例について説明したものであるが、当業者にとって、発明的能力を発揮することなく又は本発明の原理および概念から逸脱することなく、外形、使用法、および実施の詳細を様々に変更してもよいことは明らかである。従って、本発明は以下に説明する特許請求の範囲によってのみ限定されるものとする。
【図１】
2011520382.tif 000003
【図２】
2011520382.tif 000004
【図３】
2011520382.tif 000005
【図４】
2011520382.tif 000006
【図５】
2011520382.tif 000007
【国際調査報告】
2011520382.tif 000008
2011520382.tif 000009